(57)【特許請求の範囲】
【請求項１】
吸引力を発生する電動送風機、および塵埃を集塵する集塵部を有する掃除機本体と、前記掃除機本体と接続される吸口体を備え、前記吸口体は、清掃面と平行な回転軸を有する回転清掃体と、前記回転清掃体を回転駆動するモータと、前記モータを制御する制御基板とを備えた電気掃除機において、
前記モータの駆動電流を検出する電流検出手段と、
前記モータの入力を可変する手段と、
前記電動送風機の入力を可変する手段と、
使用者が前記電動送風機の入力モードを設定できる手段を備え、
前記電動送風機が強運転または中運転または弱運転のときに、前記電流検出手段により被掃除面の種類を判断し、その被掃除面の種類に応じて、前記モータの入力を可変させ、かつ前記電動送風機の入力は変化させないことを特徴とする電気掃除機。
【請求項２】
前記吸口体に、前記電動送風機の入力の大小に応じた表示手段を備えたことを特徴とする請求項１に記載の電気掃除機。
【請求項３】
前記表示手段は、前記吸口体に供給される電源電圧により、前記電動送風機の入力の大小を判断することを特徴とする請求項２に記載の電気掃除機。
【請求項４】
前記モータの入力を可変する手段は、前記吸口体に供給される電源のうち、正極性と負極性で、異なる位相角で点弧することを特徴とする請求項１に記載の電気掃除機。
【請求項５】
前記表示手段は、前記吸口体に供給される電源電圧のうち、片側の極性の電圧のみを検出して、前記電動送風機の入力の大小を判断することを特徴とする請求項２に記載の電気掃除機。
【発明の詳細な説明】
【技術分野】
【０００１】
本発明は電気掃除機に関し、特に吸口体の制御方法に関する。
【背景技術】
【０００２】
掃除対象である床面の状況を検知する検知手段を設けて、床面の状況に応じた動作を行えるようにした自動モードを備えた電気掃除機が提案されている（例えば、特許文献１および特許文献２参照）。
【０００３】
具体的には、毛足の長いじゅうたんでは、吸込力を強く、硬質の床面では吸込力を弱く、また、毛足の短いじゅうたんでは吸込力を上記強弱の中間程度にするなどファンモータを制御する。同様に回転ブラシ制御手段は被掃除面判別手段の判別結果に応じて、硬質の床面では、回転ブラシモータの回転を停止させ、毛足の長いじゅうたんでは、回転ブラシモータを強く回転させ、毛足の短いじゅうたんでは弱めに回転させる。
【先行技術文献】
【特許文献】
【０００４】
【特許文献１】特開２００３−２９０１０１号公報
【特許文献２】特開１９９３−２６９０６６号公報
【発明の概要】
【発明が解決しようとする課題】
【０００５】
しかしながら特許文献１および特許文献２に記載の電気掃除機では、たとえば、夜にじゅうたんの掃除を行う場合、騒音を小さくするため吸込力を弱くしたくても、被掃除面判別手段により、吸込力が強くなってしまう恐れがある。また、木床（フローリング）の清掃を行う場合、床上のごみが多く、吸込力を強くしたくても、被掃除面判別手段により、吸込力が弱くなってしまう恐れがある。
【０００６】
このような場合のため、従来の掃除機は、ユーザが吸引力の強中弱を選択できる手動モードを備えているが、手動強モードを選択すると、吸引力と同時に回転ブラシモータの回転も強くなり、木床上では不必要に回転ブラシモータの回転が速くなり、無駄な電力を消費し、吸口体から発生する騒音も大きくなってしまう恐れがある。また手動弱モードを選択すると、吸引力と同時に回転ブラシモータの入力も弱くなり、じゅうたん上では回転ブラシモータの回転が弱いため、じゅうたん上の塵埃の剥離が十分できないという恐れがある。
【０００７】
本発明は、手動モードであっても床面判断を行い、強中弱の各手動モードで、じゅうたんでは回転ブラシモータの入力を大きくし、木床では回転ブラシモータの入力を小さくすることにより、手動弱モードでのじゅうたん上の集塵性能を向上させ、手動強モードでの木床上での消費電力と騒音を低減できる電気掃除機を提供することを目的とする。
【課題を解決するための手段】
【０００８】
本発明は、上記目的を達成するために、吸引力を発生する電動送風機、および塵埃を集塵する集塵部を有する掃除機本体と、前記掃除機本体と接続される吸口体を備え、前記吸口体は、清掃面と平行な回転軸を有する回転清掃体と、前記回転清掃体を回転駆動するモータと、前記モータを制御する制御基板とを備えた電気掃除機において、前記モータの駆動電流を検出する電流検出手段と、前記モータの入力を可変する手段と、前記電動送風機の入力を可変する手段と、使用者が前記電動送風機の入力モードを設定できる手段を備え、前記電動送風機が強運転または中運転または弱運転のときに、前記電流検出手段により被掃除面の種類を判断し、その被掃除面の種類に応じて、前記モータの入力を可変させ、かつ前記電動送風機の入力は変化させないことを特徴とする。
【発明の効果】
【０００９】
本発明によれば、手動弱モードでのじゅうたん上の集塵性能を向上させ、手動強モードでの木床上での消費電力と騒音を低減できる電気掃除機を提供できる。
【図面の簡単な説明】
【００１０】
【図１】本発明に係る電気掃除機の全体を示す外観斜視図である。
【図２】吸口体の上面図である。
【図３】吸口体の下面図である。
【図４】吸口体の上ケースを外した状態を示す上面図である。
【図５】掃除機本体の機能ブロック図である。
【図６】操作管の機能ブロック図である。
【図７】吸口体の機能ブロック図である。
【図８】手元スイッチＳＷの拡大図である。
【図９】各モードにおける床材判断結果別の電動送風機入力と吸口体モータ入力を示す表である。
【図１０】床材が木床の場合とじゅうたんの場合で、吸口体モータに流れる電流波形を示す図である。
【図１１】床材が木床の場合とじゅうたんの場合で、吸口体の給電端子に供給される電圧波形を示す図である。
【発明を実施するための形態】
【００１１】
以下、本発明に係る実施形態例について適宜図面を参照して説明する。
【００１２】
図１に本発明の一実施例に係る電気掃除機の外観図を示す。電気掃除機１は、掃除機本体２と、ホース部３と接続し手元操作スイッチＳＷ等が設けられた操作管４と、伸縮自在に設けられた延長管５と、吸口体６とで構成されている。
【００１３】
掃除機本体２は、吸引力を発生させる電動送風機２ａ、この電動送風機２ａの吸引力で集塵した塵埃を収容する集塵部２ｂなどを備えている。なお、本実施形態例では、いわゆるサイクロン式の電気掃除機を例に挙げて説明するが、いわゆる紙パック式の電気掃除機に適用してもよい。
【００１４】
ホース部３の一端は、掃除機本体２の集塵部２ｂと連通するように掃除機本体２の接続口２ｃに接続されている。また、ホース部３の他端は、操作管４の一端に接続されている。
【００１５】
操作管４は、手元操作スイッチＳＷなどを備えたハンドル４ａ、掃除機本体２から給電される図示しない給電端子などを備えている。この給電端子には、延長管５の一端に設けられる図示しない通電端子が接続される。
【００１６】
操作管４の手元操作スイッチＳＷを操作することによって、電動送風機２ａの運転と停止や吸引力強中弱の切り替え、吸口体６に設けられたモータ４０（図４参照）の運転と停止が可能となっている。
【００１７】
延長管５は、外管５ａと内管５ｂとを備え、外管５ａの一端部に内管５ｂの一端部が挿入されている。さらに外管５ａと内管５ｂとの内側に設けられた図示しない通風路が連通するように連結されて、延長管５は伸縮自在に構成されている。なお、図１は、延長管５が最短の状態を図示している。
【００１８】
図２は、吸口体の上面図である。
【００１９】
図２に示すように、吸口体６は、上から見て略Ｔ字形状を呈する吸口ケース１０と、吸口ケース１０に連結される吸口継手１３とを備えている。
【００２０】
吸口ケース１０は、上から見て、左右方向（幅方向、後述する第１回転清掃体２０の回転軸方向）に細長く形成された吸口本体１１と、吸口本体１１の長手方向の中央部に吸口継手１３と連結される連結部１２とを備えている。連結部１２には、吸口本体１１と吸口継手１３とを連通させる流路Ｒ（図３参照）が形成されている。
【００２１】
吸口本体１１には、前端面から左右側面にかけてバンパ１１ａが設けられている。バンパ１１ａは、ゴムやエラストマー等の弾性材料から形成されており、使用時に吸口本体１１内の気密を保持するとともに、電気掃除機１（図１参照）の使用時に吸口本体１１が家具等に衝突した際に、当該家具等の傷付きを防止するとともに，吸口本体１１への衝撃を吸収する緩衝材の役割を果たしている。
【００２２】
吸口体６は、吸口本体１１の長手方向（左右方向）の中央部に発光表示手段６０を備えている。この発光表示手段６０は、操作管４の手元操作スイッチＳＷを操作することなどによって選ばれた、電動送風機２ａの運転の強中弱状態（例えば強運転時には赤色，中運転時にはオレンジ色，弱運転時は緑色）を表示する。
【００２３】
吸口継手１３は、連結部１２に対して回動自在に連結される第１接続管１４と、この第１接続管１４に対して回動自在に連結される第２接続管１５とを備えている。
【００２４】
第１接続管１４は、図２に示す上面図において略半トラック形状を呈し、連結部１２と連結される一部開口した流路を有する円筒形状の軸１４ａを有している。軸１４ａは、軸方向が吸口本体１１の長手方向であって、軸１４ａの両端部が連結部１２に形成された一対の軸受部１２ｇ（図４参照）に支持されている。また、第１接続管１４は、床面（清掃面）に対して略平行な状態から略垂直な状態まで（上下方向に）回動可能となるように構成されている。すなわち、第１接続管１４を吸口ケース１０に対して軸１４ａを支点として回動させることによって、延長管５を床面に略平行な状態と略垂直な状態との間において回動させることができる。
【００２５】
第２接続管１５は、第１接続管１４に対して長手方向に（図２の紙面時計回り方向および反時計回り方向に）回動可能となるように構成されている。これにより、例えば、延長管５を床面に対して略垂直にした状態から、延長管５を床面に略平行な状態にむけて倒すことができる。
【００２６】
また、第２接続管１５には、給電が行われる給電端子１５ａ，１５ｂが設けられている。なお、本実施形態例の電気掃除機１（図１参照）では、吸口体６に給電する電力を、掃除機本体２からホース部３、操作管４、延長管５を通じて供給するように構成されている。
【００２７】
このような吸口継手１３は、例えば延長管５（図１参照）を床面に対して略垂直とした状態において、その延長管５を左右方向（長手方向）に倒すことができることで、操作管４（グリップ４ａ）を時計回りあるいは反時計回りにねじることで、吸口本体１１を時計回りあるいは反時計回りのいずれかに略９０度回転させ、吸口本体１１の長手方向を移動方向にした掃除が可能である。したがって、壁際に沿って吸口体６を移動させて掃除したり、狭い隙間に吸口体６を挿入したりして掃除することが可能になる。
【００２８】
図３は、吸口体の下面図である。
【００２９】
図３に示すように、吸口体６は、第１回転清掃体２０、複数の第２回転清掃体３０を備えている。吸口ケース１０（吸口本体１１）には、下面（清掃面に対峙する面）に、開口部を有する吸込室Ｑが形成されている。
【００３０】
第１回転清掃体２０は、吸口本体１１の長手方向（左右方向）に沿って前後方向の連結部１２の前側に配置され、吸口本体１１に回転可能に支持されている。
【００３１】
また、第１回転清掃体２０は、線径や密度や硬さが異なる刷毛体や弾性体などの複数種類のブラシ２０ａ，２０ｂ，２０ｃを備え、各ブラシ２０ａ，２０ｂ，２０ｃが回転軸に対してらせん状に配設されている。なお、本実施形態例では、３種類のブラシ２０ａ，２０ｂ，２０ｃを配設した場合を例に挙げて説明したが、これに限定されるものではなく、２種類以下であってもよく、４種類以上であってもよく、らせん状に配置されたブラシ間にゴムなどの弾性材料からなるブレード部材をらせん状に配置する構成を追加してもよく、適宜変更することができる。
【００３２】
第２回転清掃体３０は、第１回転清掃体２０の直径よりも小径の刷毛体３０ｂを有し、第１回転清掃体２０に対して後方且つ平行に配置されている。また、第２回転清掃体３０は、第１回転清掃体２０の軸方向（吸口本体１１の長手方向）の一端側から他端側にかけて連続して設けられている。換言すると、第２回転清掃体３０は、１本の刷毛体３０ｂによって構成されている。
【００３３】
また、第２回転清掃体３０は、第１回転清掃体２０の回転軸２１と平行な軸部３０ａ（軸）を有し、軸部３０ａが吸口ケース１０（吸口本体１１）に回転可能に支持されている。なお、第２回転清掃体３０は、モータによって駆動されるものではなく、吸口体６を移動させたときの床面との摩擦力によって回転するように構成されたものである。このように、第２回転清掃体３０は、モータによって駆動するものではなく、軸部３０ａを介して吸口本体１１に支持されるものであるので、第２回転清掃体３０の構成を簡略化することができる。
【００３４】
また、吸口ケース１０には、吸口ケース１０の連結部１２の下面にブラシ駆動スイッチ１６が設けられ、ブラシ駆動スイッチ１６の後方（連結部１２の後端）に車輪１７が設けられている。
【００３５】
ブラシ駆動スイッチ１６は、吸口体６の下面が清掃面（床面）に接触しているか否かを検出するスイッチである。ブラシ駆動スイッチ１６は、車輪１６ａを備え、この車輪１６ａがばね等の付勢手段によって常に吸口ケース１０（連結部１２）の下面から突出するように設けられている。そして、車輪１６ａが飛び出して床面と接触していないと検出されたときには、後記する回路基板５０（制御基板）によってモータ４０の駆動が停止される。また、車輪１６ａが押し込まれて床面と接触していると検出されたときには、回路基板５０によってモータ４０が駆動される。
【００３６】
車輪１７は、操作管４で操作される前後動や回転操作の応力を受けて吸口体６の底面を清掃面に密着させ、これにより吸口体６の操作性能を向上する役割を有している。
【００３７】
図４は、吸口体の上ケース１１を外した状態を示す上面図である。
【００３８】
図４に示すように、吸口体６は、第１回転清掃体２０および第２回転清掃体３０の上方に、第１回転清掃体２０を駆動するモータ４０およびモータ４０を制御する回路基板５０を備えている。
【００３９】
モータ４０は、吸口本体１１の長手方向の左端側に取り付けられている。また、モータ４０は、その出力軸が吸口本体１１の長手方向と平行に配置されている。また、モータ４０の出力軸は、長手方向の左端側に向けて延び、吸口本体１１内の左端部（図示左側の端部）において、歯付きベルト４１を介して第１回転清掃体２０と連結されている。
【００４０】
回路基板５０は、吸口本体１１の長手方向の右端側に取り付けられている。また、回路基板５０は、長辺が長手方向に向くようにして配置された長方形状の基板で構成され、実装面５０ａが鉛直方向上方を向くように吸口本体１１内に配置されている。なお、実装面５０ａは、必ずしも鉛直方向上方を向くものに限定されず、水平方向に対して傾斜してもよく、前後方向を向くように（縦向きに）してもよい。
【００４１】
図５に本形態例による電気掃除機の掃除機本体２の機能ブロック図を示す。図５において、６１は掃除機本体制御基板、６２は電源プラグ、６４は電動送風機２ａの入力を制御する双方向サイリスタ、６５は吸口体の回転ブラシ２０を駆動するためのモータ４０の入力を制御する双方向サイリスタ、６６は回転ブラシ駆動モータの電流を検出する電流検出回路、６７は手元スイッチＳＷの入力情報を検出する電圧検出回路、６８は交流１００Ｖを低電圧直流電圧に変換するＤＣ電源回路、６９は交流電源の極性およびゼロクロスを検出する極性検出回路、７０は全体の制御を行なうマイクロコンピュータである。
【００４２】
図６に本形態例による電気掃除機の操作管４の機能ブロック図を示す。図６において、７１は手元部制御基板、７２〜７５は手元スイッチ入力回路である。
【００４３】
図７に本形態例による電気掃除機の吸口体６の機能ブロック図を示す。図７において、８０Ｇは緑色発光ＬＥＤ、８０Ｒは赤色発光ＬＥＤ、８１は緑色発光ＬＥＤ８０Ｇの駆動回路、８２は赤色発光ＬＥＤ８０Ｒの駆動回路、８３は緑色発光ＬＥＤ８０Ｇおよび赤色発光ＬＥＤ８０Ｒに電源を供給する電源回路、８４は吸口体電源供給ラインＰＢ、ＣＯＭ間（給電端子１５ａ、１５ｂ間）に供給されている交流電源のうち正極成分のみを通過させる半波整流回路、８５は半波整流した電圧を分圧する分圧回路、８６は分圧された電圧を平滑する平滑回路、８７は平滑された電圧をあらかじめ設定された基準電圧と比較し、緑色発光ＬＥＤ８０Ｇの駆動回路８１、赤色発光ＬＥＤ８０Ｒの駆動回路８２のどちらか一方、もしくは両方同時に起動する電圧比較回路である。
【００４４】
図８に本形態例による電気掃除機の手元スイッチＳＷの拡大図を示す。図８において、７５は切りスイッチ、７４は自動モード選択スイッチ、７３は（手動強／手動中／手動弱）モード選択スイッチ、７２は吸口体モータ４０の切／入スイッチである。
【００４５】
図９に本形態例による電気掃除機の、各モードにおける床材判断結果別の電動送風機入力と吸口体モータ入力を示す。
【００４６】
図１０に本形態例による電気掃除機の、床材が木床の場合とじゅうたんの場合で、吸口体モータ４０に流れる電流波形を示す。
【００４７】
図１１に本形態例による電気掃除機の、床材が木床の場合とじゅうたんの場合で、（手動強／手動中／手動弱）モードにおいて、吸口体６の給電端子１５ａ、１５ｂに供給される電圧波形を示す。
【００４８】
以下、図を用いて、この発明に係る実施の形態の動作を詳細に説明する。
【００４９】
掃除機使用者が手元ハンドル４付近に配置された手元スイッチＳＷを操作すると、操作されたスイッチに従った動作モードで電気掃除機本体２内の電動送風機２ａが運転する。電動送風機によって発生した吸引力は、ホース部３、延長管５を通って吸口体６に到達する。それと同時に、ホース部３および延長管５に設けられた電源線から供給された電源が、給電端子１５ａを介してモータ４０を駆動する。これにより第１回転清掃体２０が回転する。
【００５０】
掃除機使用者が手元スイッチＳＷで、（手動強／手動中／手動弱）モード選択スイッチ７４を操作することにより手動強モードを選択すると、マイクロコンピュータ７０は、電圧検出回路６７により、手動強モードが選択された事を検出する。マイクロコンピュータ７０は、双方向サイリスタ６４を制御して、電動送風機２ａを１００％の入力で駆動する。さらにマイクロコンピュータ７０は、双方向サイリスタ６５を制御して、モータ４０を１００％の入力（位相角０゜および位相角１８０゜で点弧）で駆動する。吸口体６では、図７に示す半波整流回路８４が、給電端子１５ａ、１５ｂに供給されている電圧の正極性の成分のみを通過させる。そして、電圧比較回路８７は、分圧回路８５と電圧平滑回路により出力された電圧をあらかじめ定めた基準電圧と比較することにより、電圧の正極性の成分が１００％入力であることを検出し、駆動回路８２を駆動し、赤色発光ＬＥＤ８０Ｒを発光させる。この発光は、吸口本体１１中央部の発光表示手段７０により吸口体６外部から赤色発光を認識でき、掃除機使用者は、電動送風機２ａが強運転であることを確認できる。
【００５１】
このとき、電流検出回路は、モータ４０に流れる電流の検出を行う。図１０に示すように、マイクロコンピュータ７０は、モータ４０に流れる電流の振幅が小さい場合、床材が木床であると判断し、図１１（ｂ）に示すように、電圧の負極性のときのみ、位相角２２５゜のときに双方向サイリスタ６５を点弧する。これにより、モータ４０の入力は約９２．５％となり、第１回転清掃体２０の回転数が低下する。これにより、モータ４０の消費電力を抑えることができる。また、吸口体の騒音も抑えることができる。
【００５２】
このとき、給電端子１５ａ、１５ｂに供給されている電圧の正極性の成分は、変化しないので、発光表示手段６０の発色は変化しない。このように、電圧の負極性のときのみ、点弧を変化させることにより、発光表示手段６０の発色を変化させず、モータ４０の入力を変化させることができる。
【００５３】
掃除機使用者が手元スイッチＳＷで、（手動強／手動中／手動弱）モード選択スイッチ７４を操作することにより手動中モードを選択すると、マイクロコンピュータ７０は、電圧検出回路６７により、手動中モードが選択された事を検出する。マイクロコンピュータ７０は、双方向サイリスタ６４を制御して、電動送風機２ａを約７０％の入力で駆動する。さらにマイクロコンピュータ７０は、双方向サイリスタ６５を制御して、モータ４０を約８５％の入力（位相角４５゜および位相角２２５゜で点弧）で駆動する。図７に示す半波整流回路８４は、給電端子１５ａ、１５ｂに供給されている電圧の正極性の成分のみを通過させる。そして、電圧比較回路８７は、分圧回路８５と電圧平滑回路により出力された電圧をあらかじめ定めた基準電圧と比較することにより、電圧の正極性の成分が約８５％入力であることを検出し、駆動回路８２および駆動回路８１を駆動し、赤色発光ＬＥＤ８０Ｒおよび緑色発光ＬＥＤ８０Ｇを発光させる。この発光は、吸口本体１１中央部の発光表示手段６０により吸口体６外部から黄色発光を認識でき、掃除機使用者は、電動送風機２ａが中運転であることを確認できる。
【００５４】
このとき、電流検出回路は、モータ４０に流れる電流の検出を行う。マイクロコンピュータ７０は、モータ４０に流れる電流の振幅が小さい場合、床材が木床であると判断し、図１１（ｄ）に示すように、電圧の負極性のときのみ、位相角２７０゜のときに双方向サイリスタ６５を点弧する。これにより、モータ４０の入力は約６７．５％となり、第１回転清掃体２０の回転数が低下する。これにより、モータ４０の消費電力を抑えることができる。また、吸口体の騒音も抑えることができる。
【００５５】
このとき、給電端子１５ａ、１５ｂに供給されている電圧の正極性の成分は、変化しないので、発光表示手段６０の発色は変化しない。このように、電圧の負極性のときのみ、点弧を変化させることにより、発光表示手段６０の発色を変化させず、モータ４０の入力を変化させることができる。
【００５６】
掃除機使用者が手元スイッチＳＷで、（手動強／手動中／手動弱）モード選択スイッチ７４を操作することにより手動弱モードを選択すると、マイクロコンピュータ７０は、電圧検出回路６７により、手動弱モードが選択された事を検出する。マイクロコンピュータ７０は、双方向サイリスタ６４を制御して、電動送風機２ａを約２５％の入力で駆動する。さらにマイクロコンピュータ７０は、双方向サイリスタ６５を制御して、モータ４０を約５０％の入力（位相角９０゜および位相角２７０゜で点弧）で駆動する。図７に示す半波整流回路８４は、給電端子１５ａ、１５ｂに供給されている電圧の正極性の成分のみを通過させる。そして、電圧比較回路８７は、分圧回路８５と電圧平滑回路により出力された電圧をあらかじめ定めた基準電圧と比較することにより、電圧の正極性の成分が約５０％入力であることを検出し、駆動回路８１を駆動し、緑色発光ＬＥＤ８０Ｇを発光させる。この発光は、吸口本体１１中央部の発光表示手段７０により吸口体６外部から緑色発光を認識でき、掃除機使用者は、電動送風機２ａが弱運転であることを確認できる。
【００５７】
このとき、電流検出回路は、モータ４０に流れる電流の検出を行う。マイクロコンピュータ７０は、モータ４０に流れる電流の振幅が小さい場合、床材が木床であると判断し、図１１（ｆ）に示すように、電圧の負極性のときのみ、位相角３１５゜のときに双方向サイリスタ６５を点弧する。これにより、モータ４０の入力は約３２．５％となり、第１回転清掃体２０の回転数が低下する。これにより、モータ４０の消費電力を抑えることができる。また、吸口体の騒音も抑えることができる。
【００５８】
このとき、給電端子１５ａ、１５ｂに供給されている電圧の正極性の成分は、変化しないので、発光表示手段６０の発色は変化しない。このように、電圧の負極性のときのみ、点弧を変化させることにより、発光表示手段６０の発色を変化させず、モータ４０の入力を変化させることができる。
【００５９】
また、掃除機使用者がじゅうたんの清掃に移行した場合、図１０に示すように、マイクロコンピュータ７０は、モータ４０に流れる電流の振幅が大きくなったことを検出し、床材がじゅうたんであると判断し、図１１（ｅ）に示すように、電圧の負極性のときのみ、位相角２７０゜のときに双方向サイリスタ６５を点弧する。これにより、モータ４０の入力は約５０％となり、第１回転清掃体２０の回転数が上昇し、じゅうたん上の集塵性能が向上する。
【００６０】
以上述べたように本実施例によれば、手動弱モードでのじゅうたん上の集塵性能を向上させ、手動強モードでの木床上での消費電力と騒音を低減できるという効果がある。
【００６１】
また、本実施例によれば、吸口体に設けた発光表示手段の発色を変化させるために、信号供給ワイヤを、吸口体電源供給ラインＰＢとＣＯＭとは別に、ホース部３や延長管５内に配線し、掃除機本体と吸口体を電気的に繋ぐ必要が無いので、ホース部３や延長管５のコストや重量が増加しないという効果もある。
【００６２】
また、本実施例によれば、発光表示手段の発色を変化させず、モータの入力を変化させることができるという効果もある。
【符号の説明】
【００６３】
１      電気掃除機
２      掃除機本体
２ａ    電動送風機
２ｂ    集塵部
６      吸口体
１０    吸口ケース
２０    第１回転清掃体
３０    第２回転清掃体
４０    モータ
５０    回路基板（制御基板）
Ｑ      吸込室
６０    発光表示手段
６１    掃除機本体制御基板
６４、６５ 双方向サイリスタ
６６    電流検出回路
６７    電圧検出回路
６９    極性検出回路
７０    マイクロコンピュータ
８０Ｇ  緑色発光ＬＥＤ
８０Ｒ  赤色発光ＬＥＤ
８１、８２  ＬＥＤ駆動回路
８４    半波整流回路
８５    分圧回路
８６    平滑回路
８７    電圧比較回路
【図１】
0006258143.tif 000002
【図２】
0006258143.tif 000003
【図３】
0006258143.tif 000004
【図４】
0006258143.tif 000005
【図５】
0006258143.tif 000006
【図６】
0006258143.tif 000007
【図７】
0006258143.tif 000008
【図８】
0006258143.tif 000009
【図９】
0006258143.tif 000010
【図１０】
0006258143.tif 000011
【図１１】
0006258143.tif 000012